(57)【要約】  連動して上げ下げされる複数の障子を有し、閉鎖の姿勢で複数の障子が同一平面内に並べられ、そのための構造が簡易である開口部装置を提供する。  枠体と、ワイヤにより連動して上下動可能に枠体内に備えられる上障子３０及び下障子５０と、を備える開口部装置１であって、縦枠には、上障子及び下障子をガイドするガイド溝２６ｄ、２６ｅが設けられ、少なくとも一方のガイド溝は、直線部と傾斜部とを有し、直線部は縦枠の長手方向に沿って設けられ、傾斜部はその一端が直線部の一方の端部に連通するとともに、傾斜部の他端は他方のガイド溝の端部に向けて傾斜して延在し、上障子及び下障子は、ガイド溝内を移動可能であるガイドを有し、傾斜部を有するガイド溝によりガイドされる障子には、ガイド溝に向けて突出量が可変である部材を備え、障子の閉鎖の姿勢で、両障子が略同一面内に並列して配置される。
2011148905.tif 000002
【特許請求の範囲】
【請求項１】
一対の縦枠及び一対の横枠が枠状に組み合わされて形成される枠体と、ワイヤにより互いに連動して上下に移動可能に前記枠体の内側に備えられる上障子及び下障子と、を備える開口部装置であって、
前記縦枠には、前記上障子及び前記下障子をガイドするガイド溝が設けられており、
前記上障子又は前記下障子の少なくとも一方のガイド溝は、直線部と傾斜部とを有し、
前記直線部は前記縦枠の長手方向に沿って設けられ、前記傾斜部はその一端が前記直線部の一方の端部に連通するとともに、前記傾斜部の他端は他方のガイド溝の端部に向けて傾斜して延在し、
前記上障子及び前記下障子は、該上障子及び下障子から突出して配置され、前記ガイド溝内を移動可能であるガイドを有し、
前記傾斜部を有するガイド溝によりガイドされる前記上障子又は前記下障子には、さらに前記ガイド溝に向けて突出量が可変である部材を備え、
前記上障子及び前記下障子の閉鎖の姿勢で、該上障子と該下障子とが略同一面内に並列して配置されることを特徴とする開口部装置。
【請求項２】
前記上障子又は前記下障子のうち、前記直線部及び前記傾斜部を備えるガイド溝にガイドされる障子のガイドは、
該直線部及び傾斜部を備えるガイド溝にガイドされるガイド部材と、
該ガイド部材を中心に該ガイド部材の周りを回動可能に設けられ、前記ワイヤの一端が取り付けられるとともに、前記ガイド部材が配置されるガイド溝とは異なる他方のガイド溝内を移動可能な突起であるワイヤ係止突起と、を備える請求項１に記載の開口部装置。
【発明の詳細な説明】
【技術分野】
【０００１】
本発明は、上げ下げ式に移動可能な障子を備える開口部装置に関し、詳しくは、閉鎖の姿勢で上下に配置される２枚の障子が同一面内に並べられる開口部装置に関する。
【背景技術】
【０００２】
近年における建築物の多様化により、ここに用いられる窓、扉等の開口部装置も多種多様なものが提案されている。このような開口部装置の中には、障子を上げ下げして移動することにより、開口部の開放及び閉鎖を可能とするものがある。これによれば、上げ下げ可能に設けられた障子を、開放の姿勢で保持することにより、室内外を連通させることができる。【０００３】
上げ下げ可能な障子を開放の姿勢で保持するための手段にも、いくつかの種類が提案されている。その中には、２枚の障子を互いにワイヤ等で連結し、両障子のバランスをとりつつ連動させて開閉させ、及びこれらを任意の位置に停止させることができるものがある。【０００４】
従来、このような障子を有する開口部装置では、見込み方向の位置をずらして設けられた内障子と外障子とを備えており、見込み方向に並んだそれぞれの平面内を上下動することにより、開口部の閉鎖及び開放を可能としていた。【０００５】
ところが、このような開口部装置では、開口部装置全体の見込方向が大きくなる傾向にあった。そのため、例えば特許文献１には、閉鎖の姿勢で同一面内に並べて配置される２枚の障子を備えた上げ下げ窓が開示されている。特許文献１に記載の上げ下げ窓は、枠体内側の下部に設けられる固定障子（嵌め殺し部）と、閉鎖の姿勢で枠体内側の上部に設けられる可動障子（上げ下げ障子）とを備えている。そして、閉鎖の姿勢で固定障子と可動障子とが同一面内に並べられて配置される。
【先行技術文献】
【特許文献】
【０００６】
【特許文献１】特開平８−２９６３６２号公報
【発明の概要】
【発明が解決しようとする課題】
【０００７】
しかしながら、特許文献１に記載されたような従来の上げ下げ窓では、一方が嵌め殺し、又は上げ下げできないような固定障子により形成されており、２つの障子がワイヤ等で連動され、両方の障子を上げ下げすることができるものではなかった。そして、このような従来技術を、２つの障子がワイヤ等で連動する上げ下げ可能な２つの障子に適用しようとするとその構造が複雑となり、困難であった。【０００８】
そこで本発明は、上記問題に鑑み、連動して上げ下げされる複数の障子を有する開口部装置において、閉鎖の姿勢で複数の障子が同一平面内に並べられることを可能とし、そのための構造が簡易である開口部装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。【００１０】
請求項１に記載の発明は、一対の縦枠（２１、２４）及び一対の横枠（２７、２８）が枠状に組み合わされて形成される枠体（２０）と、ワイヤ（７３、７３）により互いに連動して上下に移動可能に前記枠体の内側に備えられる上障子（３０）及び下障子（５０）と、を備える開口部装置（１）であって、縦枠には、上障子及び下障子をガイドするガイド溝（２３ｄ、２６ｄ、２３ｅ、２６ｅ）が設けられており、上障子又は下障子の少なくとも一方のガイド溝は、直線部（２６ｅ’）と傾斜部（２６ｅ’’）とを有し、直線部は縦枠の長手方向に沿って設けられ、傾斜部はその一端が直線部の一方の端部に連通するとともに、傾斜部の他端は他方のガイド溝の端部に向けて傾斜して延在し、上障子及び下障子は、該上障子及び下障子から突出して配置され、ガイド溝内を移動可能であるガイド（３６、３８、５６、５８）を有し、傾斜部を有するガイド溝によりガイドされる上障子又は下障子には、さらにガイド溝に向けて突出量が可変である部材（５６、５６）を備え、上障子及び下障子の閉鎖の姿勢で、該上障子と該下障子とが略同一面内に並列して配置されることを特徴とする開口部装置である。【００１１】
請求項２に記載の発明は、請求項１に記載の開口部装置において、上障子（３０）又は下障子（５０）のうち、直線部（２６ｅ’）及び傾斜部（２６ｅ’’）を備えるガイド溝（２３ｅ、２６ｅ）にガイドされる障子（５０）のガイド（５８、５８）は、該直線部及び傾斜部を備えるガイド溝にガイドされるガイド部材（５８ｃ）と、該ガイド部材を中心に該ガイド部材の周りを回動可能に設けられ、ワイヤ（７３）の一端が取り付けられるとともに、ガイド部材が配置されるガイド溝（２６ｅ）とは異なる他方のガイド溝（２６ｄ）内を移動可能な突起であるワイヤ係止突起（５８ｄ）と、を備えることを特徴とする。
【発明の効果】
【００１２】
本発明によれば、連動して上げ下げされる複数の障子を有する開口部装置において、閉鎖の姿勢で複数の障子が同一平面内に並べられることを可能とし、そのための構造が簡易である開口部装置を提供することができる。
【図面の簡単な説明】
【００１３】
【図１】図１（ａ）は１つの実施形態にかかる開口部装置１を室内側から正面視したときの概略図、及び図１（ｂ）は室外側から正面視したときの概略図である。
【図２】図１のＩＩ−ＩＩ線に沿った断面図である。
【図３】図１のＩＩＩ−ＩＩＩ線に沿った断面図である。
【図４】図３と同じ視点において、障子が開放された場面の断面図である。
【図５】ガイドの形状、及び閉鎖の姿勢におけるガイドとガイド溝との位置関係を示す図である。
【図６】上障子及び下障子の形態を説明する斜視図である。図６（ａ）は障子の閉鎖の姿勢を表し、図６（ｂ）は障子の開放の姿勢を表している。
【図７】回動式下部ガイドを説明する図である。図７（ａ）は回動式下部ガイドの姿勢の１例、図７（ｂ）は他の例を表している。
【図８】障子を開放させる動作の一場面を説明する図である。図８（ａ）は障子の姿勢を表し、図８（ｂ）はガイド等の位置を表している。
【図９】障子を開放させたときの一例を説明する図である。図９（ａ）は障子の姿勢を表し、図９（ｂ）はガイド等の位置を表している。
【図１０】ワイヤが切断した時について説明をする図である。図１０（ａ）はワイヤが切れる直前の回動式下部ガイドの姿勢を表し、図１０（ｂ）はワイヤが切れた時の回動式下部ガイドについて説明する図である。
【図１１】他の実施形態に係る開口部装置のうち、回動式下部ガイドを説明する図である。図１１（ａ）は回動式下部ガイドの姿勢の１例、図１１（ｂ）は他の例を表している。
【図１２】図１１の回動式下部ガイドがガイド溝に沿って移動することを説明するための図である。
【図１３】他の実施形態に係る開口部装置において、ワイヤが切断した時について説明をする図である。図１３（ａ）はワイヤが切れる直前の回動式下部ガイドの姿勢を表し、図１３（ｂ）はワイヤが切れた時の回動式下部ガイドについて説明する図である。
【発明を実施するための形態】
【００１４】
本発明の上記した作用及び利得は、次に説明する発明を実施するための形態から明らかにされる。以下本発明を図面に示す実施形態に基づき説明する。ただし、本発明はこれら実施形態に限定されるものではない。
【００１５】
図１は１つの実施形態にかかる開口部装置１を正面から見た図で、図１（ａ）が室内側から見た図、図１（ｂ）は室外側から見た図である。
図２は図１にＩＩ−ＩＩで示した線に沿った断面図で、紙面右が室内側、紙面左が室外側である。
図３は図１にＩＩＩ−ＩＩＩで示した線に沿った断面図で、紙面上が室外側、紙面下が室内側である。
図４は図３と同じ視点で、２枚の障子が開放された姿勢の断面図である。
図１〜図４及び適宜示す図を参照しつつ開口部装置１について説明する。
【００１６】
以下において、「見付方向」とは全体として平板状である開口部装置の該平板状の平面に沿った方向を意味し、開口部装置が建物に取り付けられた姿勢では、建物開口部の開口面に沿った方向を意味する。また、「見付方向内側」とは、見付方向のうち、開口部装置（障子の場合には障子）の中央方向を意味する。従って「見付方向外側」とは見付方向のうち、開口部から離れる方向を意味する。さらに、「見込み方向」とは全体として平板状である開口部装置（障子の場合には障子）の該平板状における厚さ方向を意味し、開口部装置が建物に取り付けられた姿勢では、建物の室内外方向を示す。
【００１７】
開口部装置１は、固定枠体１０、スイング枠２０、上障子３０、下障子５０、及び隠蔽部材８０を備えている。すなわち、開口部装置１には、固定枠体１０の枠内に具備されたスイング式に開閉するスイング枠２０が設けられ、該スイング枠２０内にさらに上げ下げ可能な障子である上障子３０及び下障子５０が備えられている。
【００１８】
固定枠体１０は、枠材である固定縦枠１１、１２、固定上横枠１３、及び固定下横枠１４が枠状に組み合わされて形成される枠状体である。当該固定枠体１０が建物の開口部の縁に沿って取り付けられることにより、開口部装置１が建物に固定される。固定枠体１０は、通常の開口部装置に用いられる枠体と同様のものを用いることができる。
【００１９】
ここで図２からわかるように、固定上横枠１３の吊元側端部にはスイング枠２０に設けられたピボットヒンジのピボット軸６を受け入れる軸受７が具備されている。また、固定下横枠１４の吊元側端部には、ピボットヒンジのピボット軸８が配置されている。当該ピボットヒンジを軸としてスイング枠２０がスイング式に開閉可能に固定枠体１０の枠内に配置される。
【００２０】
スイング枠２０は、枠体として機能し、一対の縦枠である吊元側縦枠２１及び戸先側縦枠２４、一対の横枠であるスイング上横枠２７及びスイング下横枠２８を備え、これらが枠状に組み合わせられて形成されている。スイング枠２０は、固定枠体１０にスイング式に開閉可能に取り付けられるとともに、上障子３０及び下障子５０を上げ下げ式に移動可能とするガイド溝も有している。
【００２１】
吊元側縦枠２１は、長尺の枠材であり、図３に示した断面を有して形成されている。すなわち、吊元側縦枠２１は、長手方向に直交する断面において、軸側枠部材２２とガイドレール部材２３とが見付方向に配置されて形成されている。
【００２２】
軸側枠部材２２は、略矩形中空に設けられ、図３に破線円形で示した部位を軸としてスイング枠２０が固定枠体１０に対してスイング式に開閉可能とされている。また、軸側枠部材２２の室内側で見付方向外側の角部は開閉の際の円滑をはかるために円弧状に形成されている。
【００２３】
ガイドレール部材２３は、長手方向に直交する断面において、見込み方向に延在する片２３ａを有し、該片２３ａの見込み方向両端からは見付方向内側に向けて片２３ｂ、２３ｃがそれぞれ立設されている。そして片２３ｂと片２３ｃとの間には、見込み方向に２つのガイド溝２３ｄ、２３ｅが配列される。すなわち、室外側のガイド溝２３ｄと室内側のガイド溝２３ｅである。ガイド溝２３ｄ、２３ｅの長手方向の形態については、ガイド溝２６ｄ、２６ｅの説明のときに述べる。
【００２４】
戸先側縦枠２４は、長尺の枠材であり、図３に示した断面を有して形成されている。戸先側縦枠２４は、長手方向に直交する断面において、戸先枠部材２５とガイドレール部材２６とが見付方向に配置されて形成されている。
【００２５】
戸先枠部材２５は、略矩形中空に設けられた部材である。当該戸先枠部材２５には、取っ手１５、１５が設けられ（図１も参照）、使用者はここをつかんで上障子３０、下障子５０を含むスイング枠２０をスイング式に開閉させることができる。従って、戸先枠部材２５の内部には不図示のラッチ機構や錠装置等が配置されている。
【００２６】
ガイドレール部材２６は、見込み方向に延在する片２６ａを有し、該片２６ａの見込み方向両端からは見付方向内側に向けて片２６ｂ、２６ｃのそれぞれが立設されている。そして片２６ｂと片２６ｃとの間には、見込み方向に２つのガイド溝２６ｄ、２６ｅが配列される。すなわち、室外側のガイド溝２６ｄと室内側のガイド溝２６ｅである。
【００２７】
図５には、ガイドレール部材２６の長手方向で、ガイド溝２６ｄ、２６ｅの長手方向の形状が表れる図を示した。図５では紙面左が室外側、紙面右が室内側である。ガイド溝２６ｄは、図５からわかるように、室外側に設けられ、ガイドレール部材２６の長手方向に略平行に上下に設けられる溝である。
ガイド溝２６ｅは、直線部２６ｅ’及び傾斜部２６ｅ’’を備えている。直線部２６ｅ’は、ガイド溝２６ｄよりも見込み方向室内側に、該ガイド溝２６ｄと略平行に形成された溝である。ガイド溝２６の傾斜部２６ｅ’’は、ガイドレール部材２６の下部に配置され、その上端は直線部２６ｅ’の下端に連続して設けられる。一方、その下端側は、ガイド溝２６ｄの下端位置にまで延在する。すなわち、傾斜部２６ｅ’’は、ガイドレール部材２６の長手方向に延在しつつも、下端に向かうに従って見込み方向外側に傾斜するように形成されている。これにより、後述するように、下障子５０の下端部を上障子３０と同一面内となる位置にまでガイドすることが可能となる。
【００２８】
ガイドレール部材２６に対向するように設けられた吊元側縦枠２１のガイドレール部材２３にも、同様のガイド溝２３ｄ、２３ｅが具備されている。その態様は上記ガイド溝２６ｄ、２６ｅと共通するので、ここでは説明を省略する。
【００２９】
ガイドレール部材２３、２６には、その長手方向中央よりやや上にローラ７０、７０が備えられる（図６参照、他方側のローラ７０は死角となり見えないが、これは図６で見えるローラ７０と対向する位置に配置されている。）。図３、図５では見やすさのため、当該ローラ７０、７０は省略している。
【００３０】
スイング上横枠２７は、長尺の枠材であり、図２に表れる断面を有して形成されている。スイング上横枠２７は、長手方向に直交する断面において、矩形中空である中空部２７ａを有している。中空部２７ａの見込み方向両端側からは見付方向内側に向けて片２７ｂ、２７ｃが延在している。片２７ｂと片２７ｃとの間に上障子３０の上端が配置され、これにより閉鎖の姿勢となる。また、中空部２７ａの室内側面と固定上横枠１３とを渡すように不図示のドアクローザが取り付けられ、開閉の際の利用者の利便が図られている。
【００３１】
さらに、スイング上横枠２７の吊元側端部には図２に示したようにピボットヒンジのピボット軸６が配置され、固定上横枠１３の軸受７と合わせられてスイングの軸となる。
【００３２】
スイング下横枠２８は、長尺の枠材であり、図２に表れる断面を有して形成されている。スイング下横枠２８は、長手方向に直交する断面において、矩形中空の中空部２８ａを有している。中空部２８ａの見込み方向両端側からは見付方向内側に向けて片２８ｂ、２８ｃが延在している。片２８ｂと片２８ｃとの間に下障子５０の下端が配置され、これにより閉鎖の姿勢となる。また、スイング下横枠２８の吊元側端部には図２に示したようにピボットヒンジの軸受９が配置され、固定下横枠１４のピボット軸８と合わせられてスイングの軸となる。
【００３３】
次に上障子３０、及び下障子５０について説明する。図６には、上障子３０及び下障子５０に注目した室内側から見た模式的な斜視図を示した。図６（ａ）が閉鎖の姿勢、図６（ｂ）が開放の姿勢の一例を表している。
【００３４】
上障子３０は、開放の姿勢では下障子５０より室外側に配置され、閉鎖の姿勢では開口部装置１の上部に配置される障子である。上障子３０は、図１〜図４、図６に表れているように、縦框３１、３２、上横框３３、下横框３４を枠状に組み合わせた框体３５と、框体３５の枠状の内側に配置されるガラスパネル４９とを備えている。また框体３５の４隅には、上横框３３、下横框３４を長手方向に延長する方向に突出するガイド（３６、３６、３８、３８）が設けられている。ここで、上横框３３を延長する方向に設けられたガイドは上部ガイド３６、３６であり、下横框３４を延長する方向に設けられたガイドは下部ガイド３８、３８である。
【００３５】
上部ガイド３６、３６、及び下部ガイド３８、３８は、これらガイドが上記吊元側縦枠２１、戸先側縦枠２４の室外側のガイド溝２３ｄ、２６ｄ（図３、図４参照）内を移動可能とされている。
【００３６】
また、図２〜図４からわかるように、上障子３０のガラスパネル４９は、その端部が縦框３１、３２、上横框３３、下横框３４にグレージングチャンネルを介して差し込まれて固定されている。
【００３７】
下障子５０は、開放の姿勢では上障子３０より室内側に配置され、閉鎖の姿勢では開口部装置１の下部に配置される障子である。下障子５０は、図１〜図４及び図６に表れているように、縦框５１、５２、上横框５３、下横框５４を枠状に組み合わせた框体５５と、框体５５の枠状の内側に配置されるガラスパネル６９とを備えている。ここで上横框５３には、図２からわかるように室内側となる位置に把持部５３ａを具備している。当該把持部５３ａは、上方に向けて延在し、使用者がここを持って下障子５０を操作することができる。その他、閉鎖の姿勢における上障子３０との境目を室内視から隠蔽することが可能である。
【００３８】
下障子５０の上横框５３には、該上横框５３を延長する方向にラッチ５６、５６が設けられている。従って、所定の力を付加することにより、その突出量を変えることができる。これにより、後述するように、ガイド溝２６ｄとガイド溝２６ｅ（ガイド溝２３ｄとガイド溝２３ｅ）との間で、ガイド溝からガイド溝へと下障子５０の上端部を円滑に移動させることが可能になる。そして、下障子５０の上端部を上障子３０と面一である位置と、室内側に突出させた位置と、に移動させることが可能となる。
【００３９】
本実施形態では、ラッチ式とし、所定の力を負荷することにより自動に突出量を変えることができる態様とした。これにより使用者の便宜が図られている。ただし、これに限定されるものでなく、手動で突出量を変えられるように形成してもよい。これには、当該部分をスライドさせることにより突出量を大きくし、反対側にスライドさせることにより突出量を小さくする態様を挙げることができる。
【００４０】
下横框５４を延長する方向には、回動式下部ガイド５８、５８が設けられている。図７には、図６（ａ）、図６（ｂ）のうち、一方側の回動式下部ガイド５８が配置された部位を拡大した図を示した（図７（ａ）、図７（ｂ））。図７からわかるように、回動式下部ガイド５８は、略Ｌ字状である基材５８ａと、基材５８ａのＬ字状の１つの片に回動可能に設けられた回動板５８ｂと、回動板５８ｂの回動軸と同軸に突設された円柱状のガイド部材５８ｃと、を備えている。また、回動板５８ｂには、ガイド部材５８ｃと同じ面側で、他端側となる部位に、ワイヤ係止突起５８ｄが設けられている。
【００４１】
このような回動式下部ガイド５８は、図６、図７からわかるように、Ｌ字状である基材５８ａが、下横框５４と縦框５１とが形成する角部に配置されて固定されている。このとき、回動板５８ｂが縦框５１に沿うように、また、ガイド部材５８ｃ、及びワイヤ係止突起５８ｄが見付方向外側に突出するように具備される。ここで、回動板５８ｂは、図６（ｂ）、図７（ｂ）からわかるように、室内外方向を含む垂直平面内で回動可能とされている。従って、ガイド部材５８ｃを中心に、該ガイド部材５８ｃの周りをワイヤ係止突起５８ｄが回動可能となっている。
【００４２】
また、他方の回動式下部ガイド５８も下横框５４と縦框５２とが形成する角部に設けられる。
【００４３】
下障子５０のガラスパネル６９は、図２〜図４からわかるように、その端部が縦框５１、５２、上横框５３、下横框５４にグレージングチャンネルを介して差し込まれて固定されている。
【００４４】
また、図６からわかるように、上障子３０と下障子５０とはローラ７０に掛けられたワイヤ７３により連結されている。各部材の関係については後で詳しく説明する。
【００４５】
図１〜図４に戻り、隠蔽部材８０について説明する。隠蔽部材８０はスイング枠２０の室外側から被せるように該スイング枠２０に取り付けられる部材である。隠蔽部材８０は、所定の間隔を有して上下方向に並列される横長矩形の隠蔽板８１、８１、…を具備している。これにより、室外視から室内を隠蔽し、防犯性や外観の向上を図ることが可能となる。また、隠蔽板８１、８１、…の室内側には網材（不図示）が張られ、害虫の侵入を防止している。
【００４６】
以上のような各部材を有して開口部装置１として構成される。図１〜図７を参照しつつ、上障子３０、及び下障子５０が閉鎖した姿勢における各部材の配置について説明する。
【００４７】
滑車を具備するローラ７０、７０が吊元側縦枠２１、戸先側縦枠２４の長手方向中央より若干上の部位のそれぞれに取り付けられる（図６参照。ただし、図６では一方のローラ７０のみが見え、他方のローラ７０は死角となって見えない。以下、図６に表れている側のみについて説明するが、死角側も同様の構造である。）。そしてローラ７０の滑車に、ワイヤ７３が引っ掛けられ、その一端は、下障子５０の回動式下部ガイド５８のうち、ワイヤ係止突起５８ｄに取り付けられる（図７（ａ）参照）。一方、ワイヤ７３の他端は、上障子３０の下部ガイド３８に固定される。これにより上障子３０と下障子５０とがワイヤ７３により連結され、連動することが可能となる。
【００４８】
このように連結された上障子３０及び下障子５０は、図２に示したように、スイング枠２０の内側に、上下に同一平面内となるように並列される。このとき、上障子３０の上部ガイド３６、３６及び下部ガイド３８、３８は、スイング枠２０のガイド溝２３ｄ、２６ｄ内に配置される。すなわち、上障子３０は、ガイド溝２３ｄ、２６ｄに沿って上下に移動することが可能とされている。
一方、下障子５０は、図２、図５に示したように、下障子５０のラッチ５６、５６は、スイング枠２０のガイド溝２３ｄ、２６ｄ内に配置される。また、回動式下部ガイド５８、５８は、図５からよくわかるように、そのガイド部材５８ｃ、５８ｃがスイング枠２０のガイド溝２３ｅ、２６ｅの最下部、すなわち、傾斜部の最下部に配置される。一方、回動式下部ガイド５８、５８のワイヤ係止突起５８ｄ、５８ｄは、スイング枠２０のガイド溝２３ｄ、２６ｄ内に配置される。従って、図５に示したように、上障子３０及び下障子５０の閉鎖の姿勢では、ガイド部材５８ｃ、５８ｃとワイヤ係止突起５８ｄ、５８ｄとは上下に並び、回動板５８ｂが略垂直となる。
【００４９】
そして上障子３０、下障子５０が配置されたスイング枠２０がピボットヒンジにより固定枠体１０の枠内にスイング式に回動可能に配置される。
【００５０】
次に、上障子３０及び下障子５０が閉鎖した姿勢から、これらを開放する動作をしたときの各部の動きについて説明する。図８、図９に説明図を示した。図８、図９はそれぞれ垂直方向の断面図であり、図８（ａ）、図９（ａ）は上障子３０、下障子５０の姿勢を表し、図８（ｂ）、図９（ｂ）はラッチ及びカイド（３８、５６等）の姿勢や位置を示している。なお、ここでは一方のガイドレール部材２６側についてのみ図示及び説明するが、これに対向して配置されているガイドレール部材２３側も同様である。
【００５１】
図２、図５で示した上障子３０及び下障子５０の閉鎖の姿勢から、図８に示したように下障子５０の上横框５３に設けられた把持部５３ａを持って室内側にひく。ここで、下障子５０の上部にはラッチ５６が配置されているので、図８（ｂ）のように、当該ラッチ５６は、室外側のガイド溝２６ｄから、室内側のガイド溝２６ｅに移動することができる。これにより図８（ａ）のように下障子５０は、その上端が室内側に倒された姿勢となる。
【００５２】
ここで、ラッチの代わりに手動式である部材を用いた場合も、当該部材を手動で突没させることにより同様に下障子５０の上部を室内側に倒し、部材をガイド溝２６ｅに配置させることができる。
【００５３】
図８に示した姿勢から、下障子５０を引き上げる。すると下障子５０のラッチ５６はガイド溝２６ｅ内を移動する。また下障子５０の回動式下部ガイド５８は、図９に表れているように、該回動式下部ガイド５８のうち、ガイド部材５８ｃは、ガイド溝２６ｅ内を移動する。一方、回動式下部ガイド５８のうち、ワイヤ係止突起５８ｄはガイド溝２６ｄ内を移動する。従って回動式下部ガイド５８の回動板５８ｂは図９（ｂ）からわかるように水平に近い姿勢で上方に移動する。
一方、下障子５０が上方に引き上げられたことで、ワイヤ７３を介してバランスを保つように上障子３０は自重により下方に移動する。これにより、図９（ａ）のように、上障子３０、及び下障子５０が開放の姿勢となる。ここで、図９（ｂ）からわかるように、回動式下部ガイド５８は、ワイヤ係止突起５８ｄがワイヤ７３を介して上障子３０に引っ張られているので、このワイヤ係止突起５８ｄはガイド部材５８ｃより若干上方である姿勢を維持して上下に移動する。
【００５４】
このように、開口部装置１によれば、ワイヤ７３で連動して相対的に上下にすれ違うように移動する２枚の障子について、その閉鎖時には障子を同一平面内に配置することが可能となる。これにより、スイング枠２０の厚さを薄く抑えることや、閉鎖時の外観の向上を図ることができる。また、上記からわかるように、障子を開放する動作も容易であり、そのための機構も簡易である。
【００５５】
そして、スイング枠２０の厚さを薄く抑えることができることにより、スイング枠２０の室外側において室外側に突出する部材を小さくすることができるので、図２にＢで示した大きさを薄く抑えることも可能となった。
【００５６】
さらに、回動式下部ガイド５８は、ワイヤ７３が万が一切れたときにおいて、上障子３０及び下障子５０が下まで急激に落下し、ここに何かを挟むといった「挟み」を防止する機能も有する。図１０に説明図を示した。図１０では、図８（ｂ）や図９（ｂ）と同様に、ガイドの位置により障子の位置がわかるように表わしている。
図１０（ａ）に示したような上障子３０及び下障子５０の開放の姿勢において、ワイヤ７３が何らかの理由により切れた場合を考える。図１０（ａ）の状態から図１０（ｂ）に示したようにワイヤ７３が切れると、回動式下部ガイド５８はワイヤ７３からの張力の影響を受けなくなる。すると、ワイヤ係止突起５８ｄが下がり、ガイド部材５８ｃよりも低い位置となる。従って回動板５８ｂは室外側がやや下であるように傾いた姿勢となる（図１０（ｂ）のＡ）。
【００５７】
さらに、図１０（ｂ）にＡで示した回動式下部ガイド５８の位置及び姿勢で、直線矢印で示したように下障子５０が落下する。しかしながら、回動式下部ガイド５８の上記姿勢により、該回動式下部ガイド５８は、ガイド溝２６ｅの直線部２６ｅ’と傾斜部２６ｅ’’との間で引っ掛かり、これより下方に移動することができない。従って下障子５０はこれより下がらないので「挟み」を防止することができる。
【００５８】
一方、上障子３０についても、ガイド溝２６ｄには回動式下部ガイド５８のワイヤ係止突起５８ｄが存在するので、これより下がることができない。従って、上障子３０についても同様に「挟み」を防止することが可能である。
【００５９】
このように、回動式下部ガイド５８によれば、安全装置として新たな部材を設ける必要はない。ただし、より安全性を向上させる観点から他に安全装置を追加することを妨げるものではない。
【００６０】
なお、このように上障子３０及び下障子５０が落下し、回動式下部ガイド５８により「挟み」が防止されるのは、開口部装置に備えられている２つのワイヤ７３のいずれもが何らかの理由で切れたときである。
その他、回動式下部ガイド５８は、いずれか一方のワイヤ７３が切れたときには、これを利用者に気付かせる手段として機能する。すなわち、ワイヤ７３の一方が切れたときには、他方のワイヤ７３により上障子３０及び下障子５０は落下することなくそのままの姿勢を維持することができる。しかしながらワイヤ７３が切れた側の回動式下部ガイド１５８は図１０（ｂ）にＡで示したような姿勢となっている。
このような状態で利用者が下障子５０を操作して閉鎖しようとすると、ワイヤ７３が切れた側の回動式下部ガイド５８は図１０（ｂ）に示したようにガイド溝２６ｅの直線部２６ｅ’と傾斜部２６ｅ’’との間で引っ掛かり、下方に移動することができない。これにより利用者は不具合を感知することができる。
【００６１】
次に他の実施形態にかかる開口部装置について説明する。図１１には当該他の実施形態にかかる開口部装置のうち、図７に相当する図を示した。すなわち図１１は、他の実施形態にかかる開口部装置のうち、回動式下部ガイド１５８を説明する図である。図１１（ａ）は回動式下部ガイド１５８の姿勢の１例、図１１（ｂ）は他の例を表している。
【００６２】
本実施形態では、回動式下部ガイド１５８の形態が開口部装置１と異なるのみであり、他の形態は開口部装置１と共通する。そこで、ここでは回動式下部ガイド１５８について説明し、他の部位は同じ符号を付すとともに説明は省略する。
【００６３】
図１１（ａ）、図１１（ｂ）からわかるように、回動式下部ガイド１５８は、基材１５８ａ、ガイド部材１５８ｃ、回動板１５８ｂ、及びワイヤ係止突起１５８ｄを備えている。
【００６４】
基材１５８ａはＬ字状の部材であり、下横框５４と縦框５１とが形成する角部が基材１５８ａのＬ字状に沿うように配置されて固定される。
ガイド部材１５８ｃは基材１５８のうち、縦框５１に沿う片に設けられる柱状の部材で、下横框５４を延長する方向の見付け方向外側に突出するように具備される。ここでガイド部材１５８ｃは、後述する回動板１５８ｂの長孔１５８ｅを貫通するように細く形成された部位（図１１（ａ）、図１１（ｂ）では隠蔽されて見えない。）と、図１１（ａ）、図１１（ｂ）に表れ、ガイド部材１５８ｃの先端側を太く形成する部位とを備えている。当該太く形成された先端は長孔１５８ｅを貫通することができない太さである。
回動板１５８ｂは、その一端側に長孔１５８ｅが設けられた板状の部材である。長孔１５８ｅには、ガイド部材１５８ｃの上記細く形成された部位が貫通するように通されるとともに、ガイド部材１５８ｃの太く形成された部位が回動板１５８ｂより見付方向外側に配置される。従って、回動板１５８ｂはガイド部材１５８ｃに対して回動可能とされる。さらに、ガイド部材１５８ｃの細く形成された部位が長孔１５８ｅ内を相対的に移動することにより、回動板１５８ｂは長孔１５８ｅの長手方向にも移動することができる。
ワイヤ係止部材１５８ｄは、回動板１５８ｂの面に配置され、ガイド部材１５８ｃと同じ方向に突出するように設けられた柱状の部材である。従って、ワイヤ係止部材１５８ｄはガイド部材１５８ｃの周りを回動可能であるとともに、長孔１５８ｅの長さの範囲でガイド部材１５８ｃとの距離も変化させることができる。
【００６５】
また、他方の回動式下部ガイド１５８も下横框５４と縦框５２とが形成する角部に設けられる。
【００６６】
図１２に回動式下部ガイド１５８の動きを説明するための図を示した。図１２は、図５、図８（ｂ）、図９（ｂ）と同様の視点からの図である。また、図１２には回動式下部ガイド１５８の動きを分かり易くするため、移動の過程を複数の回動式下部ガイド１５８で表し、矢印で移動方向を示している。
図１２からわかるように、このような回動式下部ガイド１５８も、回動式下部ガイド５８と同様に、ガイド部材１５８ｃがガイド溝２６ｅ内を、ワイヤ係止部材１５８ｄがガイド溝２６ｄ内をそれぞれ移動可能に配置される。
このような通常の状態では、図１２からわかるように、ワイヤ係止突起１５８ｄがワイヤ７３に引っ張られているので、ワイヤ係止突起１５８ｄとガイド部材１５８ｃとの距離は、長穴１５８ｅの範囲内で最も大きくなる。
【００６７】
さらに、回動式下部ガイド１５８は、ワイヤ７３が万が一切れたときにおいて、回動式下部ガイド５８と同様に、上障子３０及び下障子５０が下まで急激に落下し、ここに何かを挟むといった「挟み」を防止する機能も有する。図１３に説明図を示した。図１３は図１０に相当する図である。
図１３（ａ）に示したような上障子３０及び下障子５０の開放の姿勢において、ワイヤ７３が何らかの理由により切れた場合を考える。図１３（ａ）の状態から図１３（ｂ）に示したようにワイヤ７３が切れると、回動式下部ガイド１５８はワイヤ７３からの張力の影響を受けなくなる。すると、ワイヤ係止突起１５８ｄが下がり、その際に回動板１５８ｂが、長穴１５８ｅの作用により室内側に移動し、回動式下部ガイド１５８は図１３（ｂ）にＣで示した姿勢となる。すなわち、ワイヤ係止突起１５８ｄはガイド部材１５８ｃよりも低い位置となる。従って回動板１５８ｂは室外側がやや下であるように傾いた姿勢となる。また、長穴１５８ｅの作用により、ワイヤ７３が切れる前後でガイド部材１５８ｃの長穴１５８ｅ内における相対的な位置が変わり、ガイド部材１５８ｃとワイヤ係止突起１５８ｄとの距離が短くなる。
【００６８】
さらに、図１３（ｂ）にＣで示した回動式下部ガイド１５８の位置及び姿勢で、直線矢印で示したように下障子５０が落下する。しかしながら、回動式下部ガイド１５８の上記姿勢により、該回動式下部ガイド１５８は、ガイド溝２６ｅの直線部２６ｅ’と傾斜部２６ｅ’’との間で引っ掛かり、これより下方に移動することができない。従って下障子５０はこれより下がらないので「挟み」を防止することができる。
【００６９】
一方、上障子３０についても、ガイド溝２６ｄには回動式下部ガイド１５８のワイヤ係止突起１５８ｄが存在するので、これより下がることができない。従って、上障子３０についても同様に「挟み」を防止することが可能である。
【００７０】
このように、回動式下部ガイド１５８によっても、安全装置として新たな部材を設ける必要はない。ただし、より安全性を向上させる観点から他に安全装置を追加することを妨げるものではない。
【００７１】
なお、このように上障子３０及び下障子５０が落下し、回動式下部ガイド１５８により「挟み」が防止されるのは、開口部装置に備えられている２つのワイヤ７３のいずれもが何らかの理由で切れたときである。
その他、回動式下部ガイド１５８は、いずれか一方のワイヤ７３が切れたときには、これを利用者に気付かせる手段として機能する。すなわち、ワイヤ７３の一方が切れたときには、他方のワイヤ７３により上障子３０及び下障子５０は落下することなくそのままの姿勢を維持することができる。しかしながらワイヤ７３が切れた側の回動式下部ガイド１５８は図１３（ｂ）にＣで示したような姿勢となっている。
このような状態で利用者が下障子５０を操作して閉鎖しようとすると、ワイヤ７３が切れた側の回動式下部ガイド１５８は図１３（ｂ）に示したようにガイド溝２６ｅの直線部２６ｅ’と傾斜部２６ｅ’’との間で引っ掛かり、下方に移動することができない。これにより利用者は不具合を感知することができる。
【００７２】
ここで、回動式下部ガイドは、ガイド部材とワイヤ係止突起との距離を長くすることにより、障子の開閉がさらに円滑におこなえる。一方で、ガイド部材とワイヤ係止突起との距離が長くなるとワイヤが切れた際に、回動式下部ガイドが図１０（ｂ）の姿勢を取り難くなる傾向にある。
これに対して回動式下部ガイド１５８によれば、ガイド部材１５８ｃとワイヤ係止突起１５８ｄとの距離が、長穴１５８ｅにより変化可能とされている。従って、通常時には図１２のようにガイド部材１５８ｃとワイヤ係止突起１５８ｄとの距離が大きく取られ、より円滑な障子の開閉がおこなわれる。一方、ワイヤ７３が切れた際には、図１３（ｂ）に示したように、ガイド部材１５８ｃとワイヤ係止突起１５８ｄとの距離が小さくなるので、より確実に上記した機構が作動し、「挟み」を防止することができる。
【００７３】
以上説明した実施形態では、固定枠体の内側に配置されるスイング枠内の上げ下げ障子を備える開口部装置について説明したが、複数の障子が連動して上げ下げされるものであれば適用することができる。すなわち、固定枠体に直接上げ下げ障子が具備されるような上げ下げ窓であってもよい。
【００７４】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う開口部装置も本発明の技術的範囲に包含されるものとして理解されなければならない。
【符号の説明】
【００７５】
１  開口部装置
１０  固定枠体
１１  固定縦枠
１２  固定縦枠
１３  固定上横枠
１４  固定下横枠
２０  スイング枠（枠体）
２１  吊元側縦枠（縦枠）
２２  軸側枠部材
２３  ガイドレール部材
２４  戸先側縦枠（縦枠）
２５  戸先枠部材
２６  ガイドレール部材
２７  スイング上横枠（横枠）
２８  スイング下横枠（横枠）
３０  上障子
３６  上部ガイド
３８  下部ガイド
４９  ガラスパネル
５０  下障子
５６  ラッチ
５８  回動式下部ガイド
６９  ガラスパネル
７０  ローラ
７３  ワイヤ
８０  隠蔽部材
【図１】
2011148905.tif 000003
【図２】
2011148905.tif 000004
【図３】
2011148905.tif 000005
【図４】
2011148905.tif 000006
【図５】
2011148905.tif 000007
【図６】
2011148905.tif 000008
【図７】
2011148905.tif 000009
【図８】
2011148905.tif 000010
【図９】
2011148905.tif 000011
【図１０】
2011148905.tif 000012
【図１１】
2011148905.tif 000013
【図１２】
2011148905.tif 000014
【図１３】
2011148905.tif 000015
【国際調査報告】
2011148905.tif 000016
2011148905.tif 000017
2011148905.tif 000018
2011148905.tif 000019